(57)【要約】【課題】複数の地域または複数の地点を含んだリストにおいて、誘導経路上地点または登録地点のより近くにある地域または地点を、直観的に選択することが可能な「表示制御装置および表示制御方法」を提供する。【解決手段】リスト表示部１０５によって表示されたリストのうち、誘導経路上地点若しくは登録地点が所在する地域、当該地域内にある地点、又は、誘導経路上地点若しくは登録地点からの道のり距離が所定の距離範囲内にある地点について、当該誘導経路上地点若しくは登録地点を示す所定のアイコンをリスト上に表示させるアイコン表示部１０６とを備えることにより、リストに表示された複数の地域または複数の地点のうち、誘導経路上地点若しくは登録地点が所在する地域、当該地域内にある地点、又は、誘導経路上地点若しくは登録地点からの道のり距離が所定の距離範囲内にある地点を、当該リスト上のアイコンによって一目で把握できるようにする。【選択図】図１
2018004510.tif 000002
【特許請求の範囲】
【請求項１】
複数の地域または複数の地点を含んだリストを表示させるリスト表示部と、
表示された前記リストのうち、誘導経路上地点若しくは登録地点が所在する地域、当該地域内にある地点、又は、誘導経路上地点若しくは登録地点からの道のり距離が所定の距離範囲内にある地点について、当該誘導経路上地点若しくは登録地点を示す所定のアイコンを前記リスト上に表示させるアイコン表示部と
を備えることを特徴とする表示制御装置。
【請求項２】
前記リスト表示部は、ナビゲーション装置の施設検索部による検索範囲を指定するための地域リストを表示させ、
前記アイコン表示部は、表示された前記地域リストのうち、前記誘導経路上地点または前記登録地点が所在する地域について、当該誘導経路上地点または登録地点を示す所定のアイコンを前記地域リスト上に表示させる
ことを特徴とする請求項１に記載の表示制御装置。
【請求項３】
前記リスト表示部は、ナビゲーション装置の施設検索部による検索結果を示す施設リストを表示させ、
前記アイコン表示部は、表示された前記施設リストのうち、前記誘導経路上地点または前記登録地点からの道のり距離が所定の距離範囲内にある施設について、当該誘導経路上地点または登録地点を示す所定のアイコンを前記施設リスト上に表示させる
ことを特徴とする請求項１に記載の表示制御装置。
【請求項４】
前記リスト表示部は、ナビゲーション装置の施設検索部による検索結果を示す施設リストを表示させ、
前記アイコン表示部は、表示された前記施設リストのうち、前記誘導経路上地点または前記登録地点が所在する地域内にある地点について、当該誘導経路上地点または登録地点を示す所定のアイコンを前記施設リスト上に表示させる
ことを特徴とする請求項１に記載の表示制御装置。
【請求項５】
前記誘導経路上地点は、誘導経路上の現在地、目的地、または経由地である
ことを特徴とする請求項２〜４のいずれか一項に記載の表示制御装置。
【請求項６】
前記アイコン表示部は、前記現在地、前記目的地、前記経由地を区別可能な前記アイコンを前記リスト上に表示させる
ことを特徴とする請求項５に記載の表示制御装置。
【請求項７】
前記アイコン表示部は、予め登録されている複数の登録地点のうちのいずれであるかを識別可能な、前記登録地点を示す前記アイコンを前記リスト上に表示させる
ことを特徴とする請求項２〜４のいずれか一項に記載の表示制御装置。
【請求項８】
表示制御装置のリスト表示部が、複数の地域または複数の地点を含んだリストを表示させるリスト表示工程と、
前記表示制御装置のアイコン表示部が、表示された前記リストのうち、誘導経路上地点若しくは登録地点が所在する地域、当該地域内にある地点、又は、誘導経路上地点若しくは登録地点からの道のり距離が所定の距離範囲内にある地点について、当該誘導経路上地点若しくは登録地点を示す所定のアイコンを前記リスト上に表示させるアイコン表示工程と
を含むことを特徴とする表示制御方法。
【発明の詳細な説明】
【技術分野】
【０００１】
本発明は、表示制御装置および表示制御方法に関し、特に、複数の地域または複数の地点を含んだリストを表示するようになされた表示制御装置および表示制御方法に用いて好適なものである。
【背景技術】
【０００２】
従来、ナビゲーション装置では、複数の地域または複数の地点（本書では施設を含めて「地点」と呼ぶ）を含んだリストを表示することができるようになっている。
【０００３】
例えば、第１例として、ユーザが任意のジャンルを指定すると、複数の地域が示された地域リストを表示して、この地域リストの中からユーザが任意の地域を選択することで、ユーザが指定したジャンルの施設を、選択された地域内で絞り込み検索することができるようになっている。
【０００４】
また、第２例として、ユーザが任意に指定した地点の周辺の施設検索を行い、検索された複数の施設が距離の近い順に示された施設リストを表示して、この施設リストの中からユーザが任意の施設を選択することで、その施設を経由地や目的地として設定することができるようになっている。
【０００５】
なお、下記特許文献１には、検索地点周辺の地図を表示する際に、登録地点メモリに記憶されている登録地点の中から、検索地点に最も近い登録地点を選択し、この登録地点（名称、検索地点からの方向、検索地点からの距離）を、地図上に表示する技術が開示されている。
【０００６】
また、下記特許文献２には、施設検索の際に、リストから施設のカテゴリを選択すると、そのカテゴリの施設が存在する地域のみをリスト表示して、そのリストの中からユーザが施設検索を行う地域を選択できるようにした技術が開示されている。
【０００７】
また、下記特許文献３には、目的地履歴リストあるいは地点登録リストを用いて目的地を設定する際、施設名称及び住所名称を項目とするリストを表示し、そのリストの中から住所名項目が選択された場合には、該住所名に応じた所定の地点に近い施設を施設データベースから検索し、該検索した施設の名称をリストと共に表示する技術が開示されている。
【先行技術文献】
【特許文献】
【０００８】
【特許文献１】特開２００１−２６４０８４号公報
【特許文献２】特開２００８−１９１３９０号公報
【特許文献３】特開２０１０−２４３１９４号公報
【発明の概要】
【発明が解決しようとする課題】
【０００９】
しかしながら、上記第１例においては、地域リストに表示された複数の地域の中には、ユーザがその所在を知らない地域が多く含まれている。このため、例えば、ユーザが予め登録した登録地点が存在する地域で指定ジャンルに関する施設の絞り込み検索を行おうとした際に、地域リストにおいてどの地域がその登録地点が存在する地域であるかを直ぐに判断することができず、その登録地点から大きくかけ離れた地域を選択してしまうかもしれないといった問題が生じていた。
【００１０】
また、上記第２例においては、施設選択リストに表示された複数の施設の中には、ユーザがその所在を知らない施設が多く含まれている。このため、例えば、ユーザが案内中の経路上の地点（例えば、現在地、経由地、目的地）の近くにある施設に立ち寄ることを望んでいたとしても、施設リストにおいて複数の施設が経路上の地点からの直線距離順で表示されている場合には、近いと思って選択した施設が、実際には経路上の地点から大きくかけ離れたものとなってしまうといった問題が生じていた。この問題について図７を用いて具体的に説明する。
【００１１】
図７は、従来のナビゲーション装置による施設リストの表示例を示す図である。図７（ａ）は、現在地７１１から経由地７１５を通って目的地７１６に至る誘導経路Ｒ、およびその周辺の地図を模式的に表したものである。図７（ａ）に示す地図上には、施設７１２（Ａ水族館），施設７１３（Ｂ動物園），施設７１４（Ｃ公園）が示されている。
【００１２】
例えば、このナビゲーション装置において、現在地７１１の周辺施設を検索すると、施設７１２〜７１４が検索される。そして、図７（ｂ）に示すように、表示画面７００において、検索された施設７１２〜７１４が、現在地７１１からの直線距離の近い順に施設リスト７００Ａに表示される。図７（ｂ）に示す例では、施設７１２（Ａ水族館）が、現在地７１１からの直線距離が最も近い施設として施設リスト７００Ａに表示されている。表示画面７００では、ユーザが施設リスト７００Ａの中から任意の施設を選択して選択ボタン７０１を押下することで、選択した施設を経由地に設定することができるようになっている。
【００１３】
ユーザは、この施設リスト７００Ａを見て、現在地７１１からの直線距離が最も近いことを理由として、施設７１２（Ａ水族館）を追加の経由地として選択するかもしれない。しかしながら、図７（ａ）に示すように、施設７１２は現在地７１１から大きくかけ離れた場所にあり、施設７１２に行くためには、現在地７１１と施設７１２との間にある施設を大きく迂回して長距離を走行しなければならない。
【００１４】
本発明は、上述のような問題を解決するために成されたものであり、複数の地域または複数の地点を含んだリストにおいて、誘導経路上地点または登録地点のより近くにある地域または地点を、直観的に選択することができるようにすることを目的とする。
【課題を解決するための手段】
【００１５】
上記した課題を解決するために、本発明では、複数の地域または複数の地点を含んだリストを表示する際に、誘導経路上地点若しくは登録地点が所在する地域、当該地域内の地点、又は、誘導経路上地点若しくは登録地点からの道のり距離が所定の距離範囲内にある地点について、当該誘導経路上地点若しくは登録地点を示す所定のアイコンをリスト上に表示するようにしている。
【発明の効果】
【００１６】
上記のように構成した本発明によれば、リストに表示された複数の地域または複数の地点のうち、誘導経路上地点若しくは登録地点が所在する地域、当該地域内の地点、又は、誘導経路上地点若しくは登録地点からの道のり距離が所定の距離範囲内にある地点を、当該リスト上に表示されたアイコンによって一目で把握できるようになる。したがって、本発明によれば、複数の地域または複数の地点を含んだリストにおいて、誘導経路上地点または登録地点のより近くにある地域または地点を、直観的に選択することができる。
【図面の簡単な説明】
【００１７】
【図１】本発明の一実施形態に係るナビゲーション装置の機能構成例を示すブロック図である。
【図２】登録地点記憶部に記憶されている登録地点の一例を示す図である。
【図３】本発明の一実施形態に係るナビゲーション装置による処理の一例（第１例）を示すフローチャートである。
【図４】本発明の一実施形態に係るナビゲーション装置による地域リストの表示例を示す図である。
【図５】本発明の一実施形態に係るナビゲーション装置による処理の一例（第２例）を示すフローチャートである。
【図６】本発明の一実施形態に係るナビゲーション装置による施設リストの表示例を示す図である。
【図７】従来のナビゲーション装置による施設リストの表示例を示す図である。
【発明を実施するための形態】
【００１８】
〔ナビゲーション装置の機能構成例〕
以下、本発明の一実施形態を図面に基づいて説明する。図１は、本発明の一実施形態に係るナビゲーション装置１０の機能構成例を示すブロック図である。図１に示すナビゲーション装置１０は、特許請求の範囲に記載の表示制御装置が実装された装置の一例であって、自動車等の車両に搭載されているナビゲーション装置である。なお、本発明の表示制御装置は、ナビゲーション装置に実装されたものに限定されず、ナビゲーション装置以外の他の装置（例えば、携帯端末）に実装されたものであってもよい。例えば、携帯端末（スマートフォン、携帯電話機、タブレット端末等）に本発明の表示制御装置を設け、当該携帯端末からインターネット上のサーバにアクセスして、サーバのナビゲーション機能（図１の目的地設定部１００、経路探索部１０１、経路案内部１０２、施設検索部１０４に相当する機能）を利用するようにしてもよい。または、携帯端末に本発明の表示制御装置とナビゲーション機能との双方を設け、携帯端末単体でナビゲーション機能を利用するようにしてもよい。
【００１９】
図１に示すように、ナビゲーション装置１０は、タッチパネル１１、地図データ記憶部１２、自車位置検出装置１３、ディスプレイ１４および登録地点記憶部１５を備えている。また、ナビゲーション装置１０は、その機能構成として、目的地設定部１００、経路探索部１０１、経路案内部１０２、操作受付部１０３、施設検索部１０４、リスト表示部１０５およびアイコン表示部１０６を備えている。このうち、操作受付部１０３、リスト表示部１０５およびアイコン表示部１０６は、表示制御装置１０Ａを構成する。
【００２０】
上記各機能ブロック１００〜１０６は、ハードウェア、ＤＳＰ（Digital Signal Processor）、ソフトウェアの何れによっても構成することが可能である。例えばソフトウェアによって構成する場合、上記各機能ブロック１００〜１０６は、実際にはコンピュータのＣＰＵ、ＲＡＭ、ＲＯＭなどを備えて構成され、ＲＡＭやＲＯＭ、ハードディスクまたは半導体メモリ等の記録媒体に記憶されたプログラムが動作することによって実現される。
【００２１】
タッチパネル１１は、各種操作（例えば、ジャンル選択画面において任意のジャンルを検索条件として選択する操作、地域リストの中から任意の地域を選択して検索範囲に指定する操作、周辺検索を行う任意の地点を選択する操作、施設リストの中から任意の施設を選択して目的地または経由地に設定する操作等）を行うための操作部の一例である。
【００２２】
地図データ記憶部１２は、地図データを記憶する。当該地図データには、複数の施設の施設データが含まれている。各施設データは、ジャンル、施設名、住所、位置情報（緯度経度等）等の情報を含んで構成されている。
【００２３】
自車位置検出装置１３は、ナビゲーション装置１０が搭載されている車両の現在位置を検出する。自車位置検出装置１３は、例えば、ＧＰＳ（Global Positioning System）と自律航法ユニットとを備えて構成されている。
【００２４】
ディスプレイ１４は、各種情報（例えば、地図画像、ジャンル選択画面、地域リスト、施設リスト等）を表示する。ディスプレイ１４には、例えば液晶ディスプレイ、有機ＥＬディスプレイ等が用いられる。
【００２５】
登録地点記憶部１５は、ユーザが任意に登録した登録地点に関する登録地点データを記憶する。例えば、各登録地点データは、登録番号、登録地点名、住所、位置情報（緯度経度等）等の情報を含んで構成されている。
【００２６】
目的地設定部１００は、操作受付部１０３が入力を受け付けたユーザによるタッチパネル１１の操作（例えば、ディスプレイ１４に表示された施設リストの中からいずれかの施設を選択して目的地または経由地として設定する操作）に基づいて、誘導経路の目的地および経由地を設定する。
【００２７】
経路探索部１０１は、地図データ記憶部１２に記憶されている地図データに基づいて、自車位置検出装置１３によって検出された車両の現在位置から、目的地設定部１００によって設定された目的地までの誘導経路を探索する。ここで、目的地設定部１００によってさらに経由地が設定されている場合、経路探索部１０１は、その経由地を経由する目的地までの誘導経路を探索する。
【００２８】
経路案内部１０２は、地図データ記憶部１２に記憶されている地図データと、自車位置検出装置１３によって随時検出される車両の現在位置とに基づいて、経路探索部１０１によって探索された誘導経路を案内する。
【００２９】
操作受付部１０３は、ユーザによるタッチパネル１１の操作による各種操作入力を受け付ける。例えば、操作受付部１０３は、施設検索部１０４が施設検索を行う際に、各種検索条件（例えば、ジャンル、地点、地域等）を指定する操作の入力を受け付ける。また、操作受付部１０３は、施設検索部１０４による施設検索の検索結果を示す施設リストがディスプレイ１４に表示された際に、施設リストの中からいずれかの施設を選択して目的地または経由地として設定する操作の入力を受け付ける。
【００３０】
施設検索部１０４は、地図データ記憶部１２に記憶されている施設データに基づいて、施設検索を行う。例えば、施設検索部１０４は、ユーザによりジャンルおよび地域が選択された状態で、ジャンル検索の実行が指示されると、選択された地域内に存在する、選択されたジャンルの施設を検索する。他の例として、施設検索部１０４は、ユーザによりジャンルおよび地点（例えば、誘導経路上の現在地、経由地、目的地等）が選択された状態で、周辺施設検索の実行が指示されると、選択された地点の周辺に存在する、選択されたジャンルの施設を検索する。
【００３１】
リスト表示部１０５は、複数の地域または複数の地点を含んだリストをディスプレイ１４に表示させる。例えば、リスト表示部１０５は、施設検索部１０４がジャンル検索を行う際に、施設検索部１０４による検索範囲の候補として複数の地域が示された地域リストをディスプレイ１４に表示させる。ユーザは、タッチパネル１１の操作により、この地域リストの中から任意の地域を選択して、ジャンル検索の検索範囲に設定することができる。
【００３２】
他の例として、リスト表示部１０５は、施設検索部１０４が施設検索を行った際に、施設検索部１０４による検索結果として複数の施設が示された施設リストをディスプレイ１４に表示させる。ユーザは、タッチパネル１１の操作により、この施設リストの中から任意の施設を選択して、誘導経路の目的地または経由地に設定することができる。
【００３３】
アイコン表示部１０６は、ディスプレイ１４に表示されたリストのうち、誘導経路上地点若しくは登録地点が所在する地域、又は、誘導経路上地点若しくは登録地点からの道のり距離が所定の距離範囲内にある地点について、当該誘導経路上地点または登録地点を示す所定のアイコンをリスト上に表示させる。
【００３４】
例えば、アイコン表示部１０６は、リスト表示部１０５によって地域リストがディスプレイ１４に表示された際に、当該地域リストのうち、誘導経路上地点または登録地点が所在する地域について、当該誘導経路上地点または登録地点を示す所定のアイコンを地域リスト上に表示させる。
【００３５】
他の例として、アイコン表示部１０６は、リスト表示部１０５によって施設リストがディスプレイ１４に表示された際に、当該施設リストのうち、誘導経路上地点または登録地点からの道のり距離が所定の距離範囲内にある施設について、当該誘導経路上地点または登録地点を示す所定のアイコンを施設リスト上に表示させる。
【００３６】
上記誘導経路上地点の一例として、現在地、目的地、または経由地が挙げられる。この場合、アイコン表示部１０６は、現在地、目的地、または経由地を識別可能なアイコンを、地域リストまたは施設リスト上に表示させる。上記登録地点の一例として、登録地点記憶部１５に記憶されている登録地点が挙げられる。この場合、アイコン表示部１０６は、登録地点であることを識別可能なアイコンを、地域リストまたは施設リスト上に表示させる。
【００３７】
〔登録地点の一例〕
図２は、登録地点記憶部１５に記憶されている登録地点の一例を示す図である。図２に示す例では、各登録地点データは、登録番号、登録地点名、住所、位置情報（緯度経度）を含んで構成されている。各登録地点は、ユーザがお気に入りの地点として予め登録しておいた地点である。
【００３８】
例えば、図２に示す例では、「○○県Ｆ市」に所在する「○○遊園地」が、登録番号「１」とする登録地点に登録されている。また、「○○県Ｄ市」に所在する「○○レストラン」が、登録番号「２」とする登録地点に登録されている。また、「○○県Ｈ市」に所在する「○○カフェ」が、登録番号「３」とする登録地点に登録されている。
【００３９】
〔ナビゲーション装置１０による処理の一例（第１例）〕
図３は、本発明の一実施形態に係るナビゲーション装置１０による処理の一例（第１例）を示すフローチャートである。ここでは、施設検索部１０４によるジャンル検索を行う例について説明する。図３に示す処理は、例えば、ユーザがジャンル検索を実行するための所定の操作（例えば、ジャンル検索ボタンを選択する操作）を行ったタイミングで実行される。
【００４０】
まず、操作受付部１０３が、ジャンルの指定を受け付ける（ステップＳ３０２）。次に、リスト表示部１０５が、地域リストをディスプレイ１４に表示させる（ステップＳ３０４）。そして、アイコン表示部１０６が、ディスプレイ１４に表示された地域リストのうち、登録地点が所在する地域について、当該登録地点を示す所定のアイコンを地域リスト上に表示させる（ステップＳ３０６）。
【００４１】
その後、施設検索部１０４が、地域リストの中からいずれかの地域が選択されたか否かを判断する（ステップＳ３０８）。ここで、地域リストの中からいずれの地域も選択されていないと施設検索部１０４が判断した場合（ステップＳ３０８：Ｎｏ）、施設検索部１０４が、ステップＳ３０８の処理を再度実行する。
【００４２】
一方、地域リストの中からいずれかの地域が選択されたと施設検索部１０４が判断した場合（ステップＳ３０８：Ｙｅｓ）、施設検索部１０４が、ステップＳ３０８で選択された地域を検索範囲として、ステップＳ３０２で指定されたジャンルの施設を検索する（ステップＳ３１０）。そして、リスト表示部１０５が、ステップＳ３１０で検索された複数の施設が示された施設リストをディスプレイ１４に表示させて（ステップＳ３１２）、ナビゲーション装置１０は、図３に示す一連の処理を終了する。
【００４３】
なお、上記処理手順では説明を簡略化しているが、実際には、地域リストは、複数の階層からなる階層構造を有している。例えば、地域リストは、上位から順に、都道府県リスト、市区町村リスト、街区番号リストの順に表示される。アイコン表示部１０６は、これら全ての地域リストにおいて、アイコンを表示するようにしてもよい。または、一部の地域リストのみ（例えば、市区町村リストのみ）、アイコンを表示するようにしてもよい。
【００４４】
ここで、より上位の地域リストであるほど、地域リストに表示された１つの地域に、複数の登録地点が所在する可能性が高くなる。この場合、アイコン表示部１０６は、１つの地域に対し、複数のアイコンを表示するようにしてもよい。または、１つのアイコンと登録地点の数とを表示するようにしてもよい。または、１つのアイコンを表示するのみであってもよい。
【００４５】
〔地域リストの表示例〕
図４は、本発明の一実施形態に係るナビゲーション装置１０による地域リストの表示例を示す図である。図４に示す画面４００は、地域リスト４００Ａおよび施設検索ボタン４０１を含んで構成されている。地域リスト４００Ａは、「○○県」に属する複数の市（Ａ市〜Ｈ市）をリスト形式で示すものである。この地域リスト４００Ａは、例えば、施設検索部１０４が「○○県」に存在する施設のジャンル検索を行う際に、検索範囲とする市をユーザに指定させるために、リスト表示部１０５によってディスプレイ１４に表示される画面である。ユーザは、タッチパネル１１の操作により、ジャンル選択画面（図示省略）においてジャンルを選択するとともに、地域リスト４００Ａからいずれかの市を選択し、さらに施設検索ボタン４０１を選択することにより、選択した市を検索範囲とする、選択したジャンルの施設の検索を、施設検索部１０４に行わせることができる。
【００４６】
ここで、地域リスト４００Ａ上において、「Ｆ市」には、アイコン表示部１０６によってアイコン４０２ａが表示されている。同様に、「Ｄ市」には、アイコン表示部１０６によってアイコン４０２ｂが表示されている。また、「Ｈ市」には、アイコン表示部１０６によってアイコン４０２ｃが表示されている。アイコン４０２ａ〜ｃは、いずれも星形をなしており、それによって登録地点が存在する地域であることを表している。また、アイコン４０２ａ〜ｃは、それぞれ対応する登録地点の登録番号が示されており、どの登録地点のものかを把握できるようになっている。
【００４７】
例えば、図２に示す例では、「○○県Ｆ市」に所在する「○○遊園地」、「○○県Ｄ市」に所在する「○○レストラン」、および「○○県Ｈ市」に所在する「○○カフェ」が、登録地点として登録地点記憶部１５に記憶されている。アイコン表示部１０６は、登録地点記憶部１５を参照することにより、地域リスト４００Ａに表示されている複数の市のうち、登録地点が存在する市（「Ｆ市」, 「Ｄ市」，「Ｈ市」）を特定する。そして、登録地点が存在する市に対し、登録地点が存在することを表すアイコン４０２ａ〜ｃを表示させるのである。
【００４８】
ユーザは、地域リスト４００Ａ上に表示されたアイコン４０２ａ〜ｃにより、「Ｆ市」, 「Ｄ市」，「Ｈ市」のそれぞれについて、自身による登録済みの登録地点が存在する地域であることを一目で把握することができる。このため、ユーザは、例えば、登録番号が「１」である登録地点「○○遊園地」の近くにある施設を検索したい場合、「１」が示されているアイコン４０２ａが表示された「Ｆ市」を、検索範囲として選択すればよいことを直観的に把握することができる。
【００４９】
〔ナビゲーション装置１０による処理の一例（第２例）〕
図５は、本発明の一実施形態に係るナビゲーション装置１０による処理の一例（第２例）を示すフローチャートである。ここでは、施設検索部１０４による周辺施設検索を行う例について説明する。図５に示す処理は、例えば、ユーザが周辺施設検索を実行するための所定の操作（例えば、周辺施設検索ボタンを選択する操作）を行ったタイミングで実行される。なお、前提として、経路探索部１０１によって目的地までの誘導経路が既に探索されているものとする。
【００５０】
まず、操作受付部１０３が、誘導経路上地点（現在地、経由地、または目的地）の指定を受け付ける（ステップＳ５０２）。次に、操作受付部１０３が、ジャンルの指定を受け付ける（ステップＳ５０４）。次に、施設検索部１０４が、ステップＳ５０２で指定された誘導経路上地点の周辺に存在する、ステップＳ５０４で指定されたジャンルの施設を検索する（ステップＳ５０６）。
【００５１】
そして、リスト表示部１０５が、ステップＳ５０６で検索された複数の周辺施設が示された施設リストをディスプレイ１４に表示させる（ステップＳ５０８）。さらに、アイコン表示部１０６が、ディスプレイ１４に表示された施設リストのうち、誘導経路上地点（現在地、経由地、または目的地）からの道のり距離が所定の距離範囲内に存在する周辺施設について、当該誘導経路上地点を示す所定のアイコンを施設リスト上に表示させる（ステップＳ５１０）。
【００５２】
その後、目的地設定部１００が、施設リストの中からいずれかの施設が選択されたか否かを判断する（ステップＳ５１２）。ここで、施設リストの中からいずれの施設も選択されていないと目的地設定部１００が判断した場合（ステップＳ５１２：Ｎｏ）、目的地設定部１００は、ステップＳ５１２の処理を再度実行する。
【００５３】
一方、施設リストの中からいずれかの施設が選択されたと目的地設定部１００が判断した場合（ステップＳ５１２：Ｙｅｓ）、目的地設定部１００が、ステップＳ５１０で選択された施設を経由地に設定する（ステップＳ５１４）。そして、経路探索部１０１が、目的地までの経路を再探索する（ステップＳ５１６）。そして、ナビゲーション装置１０は、図５に示す一連の処理を終了する。
【００５４】
〔施設リストの表示例〕
図６は、本発明の一実施形態に係るナビゲーション装置１０による施設リストの表示例を示す図である。図６（ａ）は、現在地６１１から経由地６１６を通って目的地６１７に至る誘導経路Ｒ、およびその周辺の地図を模式的に表したものである。図６（ａ）に示す地図上には、施設６１２（Ａ水族館），施設６１３（Ｂ動物園），施設６１４（Ｃ公園），施設６１５（Ｄ遊園地）が示されている。
【００５５】
例えば、図６（ａ）の状況下にあるナビゲーション装置１０において、施設検索部１０４が現在地６１１の周辺施設を検索すると、施設６１２〜６１５が検索される。そして、図６（ｂ）に示すように、リスト表示部１０５によって、検索された施設６１２〜６１５が、現在地６１１からの直線距離の近い順に、表示画面６００の施設リスト６００Ａに表示される。図６（ｂ）に示す例では、「Ａ水族館（施設６１２）」が、現在地６１１からの直線距離が最も近い施設として施設リスト６００Ａに表示されている。表示画面６００では、ユーザが施設リスト６００Ａの中から任意の施設を選択して経由地設定ボタン６０１を押下することで、選択した施設を誘導経路Ｒの追加の経由地として設定することができるようになっている。
【００５６】
ここで、施設リスト６００Ａ上において、「Ｃ公園」には、アイコン表示部１０６によってアイコン６０２が表示されている。アイコン６０２は、経由地６１６のアイコンと同様に、旗をイメージした形状をなしている。それにより、アイコン６０２は、「Ｃ公園」が経由地６１６の近くに存在する施設（道のり距離が所定の距離範囲内である施設）ことを表している。また、アイコン６０２は、経由地６１６のアイコンと同様に経由地番号「１」が示されており、仮に複数の経由地が設定されている場合であっても、どの経由地のものかを把握できるようになっている。ユーザは、施設リスト６００Ａ上に表示されたアイコン６０２により、「Ｃ公園」が経由地６１６の近くにある（道のり距離が短い）施設であることを一目で把握することができる。
【００５７】
また、施設リスト６００Ａ上において、「Ｄ遊園地」には、アイコン表示部１０６によってアイコン６０３が表示されている。アイコン６０３は、目的地６１７のアイコンと同様に、旗をイメージした形状をなしている。それにより、アイコン６０３は、「Ｄ遊園地」が目的地６１７の近くに存在する施設（道のり距離が所定の距離範囲内である施設）ことを表している。ユーザは、施設リスト６００Ａ上に表示されたアイコン６０３により、「Ｄ遊園地」が目的地６１７の近くにある（道のり距離が短い）施設であることを一目で把握することができる。
【００５８】
一方、施設リスト６００Ａ上において、「Ａ水族館」および「Ｂ動物園」については、現在地６１１からの直線距離が「Ｃ公園」および「Ｄ遊園地」よりも短いが、アイコンが表示されていない。これにより、ユーザは、「Ａ水族館」および「Ｂ動物園」については、誘導経路Ｒ上の現在地６１１、経由地６１６、目的地６１７のいずれからも、道のり距離が比較的長いと推測することができる。したがって、ユーザが誘導経路Ｒ上の現在地６１１、経由地６１６、目的地６１７のいずれかから迂回せずに行くことができる施設に立ち寄りたいと考えている場合に、これに反する「Ａ水族館」または「Ｂ動物園」を選択してしまうことを回避することができる。
【００５９】
以上説明したように、本発明の一実施形態によれば、リスト（地域リストまたは施設リスト）に表示された複数の地域または複数の地点のうち、誘導経路上地点若しくは登録地点が所在する地域、又は、誘導経路上地点若しくは登録地点からの道のり距離が所定の距離範囲内にある地点を、当該リスト上に表示されたアイコンによって一目で把握できるようになる。したがって、本発明の一実施形態によれば、複数の地域または複数の地点を含んだリストにおいて、誘導経路上地点または登録地点のより近くにある地域または地点を、直観的に選択することができる。
【００６０】
〔変形例〕
なお、上記実施形態では、特許請求の範囲に記載の「複数の地域または複数の地点を含んだリスト」の一例として、地域リストおよび施設リストを用いているが、本発明はこれに限らない。例えば、以下のリストにおいて、同様に、誘導経路上地点若しくは登録地点が所在する地域、又は、誘導経路上地点若しくは登録地点からの道のり距離が所定の距離範囲内にある地点については、誘導経路上地点若しくは登録地点を示す所定のアイコンを表示するようにしてもよい。
・施設検索のＰＯＩリスト
・電話番号検索結果リスト
・高速道路のＩＣ・ＳＡリスト
・一般道路の路線名称リスト
【００６１】
また、上記実施形態（図４）では、登録地点が存在することを表すアイコン４０２ａ〜ｃのそれぞれについて、対応する登録地点を識別できるように、対応する登録地点の登録番号を示すようにしているが、代わりに又は加えて、対応する登録地点の登録地点名を示すようにしてもよい。
【００６２】
また、上記実施形態では、地域リストに登録地点のアイコンを表示するようにしているが（図４参照）、経路探索部１０１によって誘導経路が既に探索されており、且つ、地域リストに示されているいずれかの地域に誘導経路上地点が所在する場合には、その誘導経路上地点のアイコンを地域リストに表示するようにしてもよい。また、上記実施形態では、施設リストに誘導経路上地点のアイコンを表示するようにしているが（図６参照）、施設リストに示されているいずれかの施設の所定距離範囲内（道のり距離による所定の距離範囲内）に登録地点が存在する場合には、その登録地点のアイコンを施設リストに表示するようにしてもよい。
【００６３】
また、上記実施形態（図４）では、地域リストにおいて、登録地点が存在する地域に対して、星形のアイコンを表示するようにしているが、これ以外のアイコンを表示するようにしてもよい。例えば、各登録地点に対して設定されているアイコンと同じアイコンを表示したり、特に、各登録地点に対して複数のアイコンの中から任意のアイコンをユーザが設定できる場合は、ユーザが設定したアイコンを表示したりするようにしてもよい。
【００６４】
また、上記実施形態（図６）では、施設リストにおいて、誘導経路上地点の近くにある施設に対して、その誘導経路上地点のアイコンを表示するようにしているが、例えば、誘導経路上地点と同じ地域内にある施設に対し、その誘導経路上地点のアイコンを表示するようにしてもよい。誘導経路上地点は、ユーザが既に知っている地域にある地点である。そこで、その誘導経路上地点と同じ地域にある施設にアイコンを表示することで、施設リストに表示されている複数の施設のうち、ユーザが既に知っているであろう地域にある施設を、一目で把握することができる。また、施設リストにおいて、登録地点と同じ地域内にある施設に対し、その登録地点のアイコンを表示するようにしてもよい。
【００６５】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００６６】
１０  ナビゲーション装置
１０Ａ  表示制御装置
１１  タッチパネル
１２  地図データ記憶部
１３  自車位置検出装置
１４  ディスプレイ
１５  登録地点記憶部
１００  目的地設定部
１０１  経路探索部
１０２  経路案内部
１０３  操作受付部
１０４  施設検索部
１０５  リスト表示部
１０６  アイコン表示部
【図１】
2018004510.tif 000003
【図２】
2018004510.tif 000004
【図３】
2018004510.tif 000005
【図４】
2018004510.tif 000006
【図５】
2018004510.tif 000007
【図６】
2018004510.tif 000008
【図７】
2018004510.tif 000009